(57)【特許請求の範囲】
【請求項１】
液晶表示パネルであって、
前記液晶表示パネルは、データ線と、走査線と、前記データ線と前記走査線とにより限定される複数の画素ユニットとを含み、
各前記画素ユニットは、第１サブ画素と、第２サブ画素とを含み、
前記第１サブ画素は、第１画素電極を含む第１アレイ基板と、液晶層と、前記第１アレイ基板に対向して配置され、且つ第１共通電極を含む第１カラーフィルム基板と、を含み、
前記第２サブ画素は、第２画素電極を含む第２アレイ基板と、液晶層と、前記第２アレイ基板に対向して配置され、且つ第２共通電極を含む第２カラーフィルム基板と、を含み、
前記第１アレイ基板と前記第２アレイ基板とが、同一アレイ基板内の異なる場所に配置され、
前記第１カラーフィルムと前記第２カラーフィルムとが、同一カラーフィルム基板内の異なる場所に配置され、
前記第１サブ画素は、複数の表示ドメインを含み、前記第１サブ画素の表示ドメインは、前記第１共通電極の有する構造により形成され、
前記第２サブ画素は、複数の表示ドメインを含み、前記第２サブ画素の表示ドメインは、前記第２画素電極の有する構造により形成され、
前記第１サブ画素の前記第１アレイ基板上における投影面積が、前記第２サブ画素の前記第２アレイ基板上における投影面積と同じである、
ことを特徴とする液晶表示パネル。
【請求項２】
前記画素ユニットに薄膜トランジスタが設置され、
前記薄膜トランジスタの制御端が前記走査線に接続され、
前記薄膜トランジスタの入力端が前記データ線に接続され、
前記薄膜トランジスタの出力端が前記第１サブ画素と前記第２サブ画素とに接続される、
ことを特徴とする請求項１に記載の液晶表示パネル。
【請求項３】
前記第１画素電極と前記第２画素電極とが分離せず、前記薄膜トランジスタで、前記第１画素電極と前記第２画素電極とを駆動させる、ことを特徴とする請求項２に記載の液晶表示パネル。
【請求項４】
前記第１サブ画素の表示ドメインの個数は、前記第２サブ画素の表示ドメインの個数と同じである、
ことを特徴とする請求項１に記載の液晶表示パネル。
【請求項５】
前記第１共通電極は、第１水平主体部と、第１垂直主体部と、第１分岐部とを含み、
前記第１水平主体部と前記第１垂直主体部とが垂直に交わり、前記第１分岐部は前記第１水平主体部と前記第１垂直主体部とから外へ延伸し、且つ前記第１水平主体部と前記第１垂直主体部とにより限定される共通電極区域内に位置され、
前記第２画素電極は、第２水平主体部と、第２垂直主体部と、第２分岐部とを含み、前記第２水平主体部と前記第２垂直主体部とが垂直に交わり、前記第２分岐部は前記第２水平主体部と前記第２垂直主体部とから外へ延伸し、且つ前記第２水平主体部と前記第２垂直主体部とにより限定される画素電極区域内に位置される、
ことを特徴とする請求項１に記載の液晶表示パネル。
【発明の詳細な説明】
【技術分野】
【０００１】
本発明は、液晶ディスプレイの技術分野に関し、特に液晶表示パネル及び装置に関する。
【背景技術】
【０００２】
液晶表示装置は、人間の生活及び仕事に広く応用されている。液晶表示装置の視野角、輝度及び色は液晶表示装置の表示効果に影響を与える。
【０００３】
液晶表示パネルの視野角を広げるため、通常8個の表示ドメインの画素構造の設計を採用し、各画素ユニットが更に２つのサブ画素（１つは大きく、１つは小さい）に分割され、第１サブ画素は４つの表示ドメインを含み、第２サブ画素は４つの表示ドメインを含み、表示ドメインが２つのサブ画素の画素電極に対して画像化処理して形成される。
【０００４】
図3に示すように、従来の液晶表示パネルは、アレイ基板10と、カラーフィルム基板20と、液晶層30とを含み、画素電極22と、公共電極21と、液晶層30とが前記アレイ基板10と前記カラーフィルム基板20との間に位置される。図１に示すように、前記液晶表示パネルはデータ線12と走査線11、11'と、データ線と走査線とが限定する複数の画素ユニットとを含み、各前記画素ユニットは、第１サブ画素と第２サブ画素とを含む。前記第１サブ画素は、第１アレイ基板と、液晶層と、第１カラーフィルム基板とを含み、第１アレイ基板は第１画素電極を含み、第１画素電極は、図1の１０１に示すように、第１カラーフィルム基板が前記第１アレイ基板に対向して配置され、且つ図２の２０１に示す第１公共電極を含む。
【０００５】
前記第２サブ画素は、第２アレイ基板と、液晶層と、第２カラーフィルム基板とを含み、第２アレイ基板は、図１の１０２に示す第２画素電極を含み、第２カラーフィルム基板が、前記第２アレイ基板に対向して配置され、図２の２０２に示す第２公共電極を含む。
【０００６】
しかし、このように形成された表示ドメインは、両面表示の場合に、視野角の大きさが異なり、表示の効果に影響を与える。また、各サブ画素はそれぞれ1つの薄膜トランジスタにより駆動され、画素ユニットの分割が対称していない（例えば、第１サブ画素の面積が第２サブ画素のより大きい）ため、色ずれ問題が発生やすく、且つ第１サブ画素と第２サブ画素とがそれぞれ1つの薄膜トランジスタで駆動され、色ずれ問題を解決するために、第２サブ画素に電荷共有薄膜トランジスタと共有キャパシタンスとが更に配置され、電荷共有薄膜トランジスタと共有キャパシタンスとが画素ユニットの光線を遮断するため、開口率が低下され、また、多くの電荷共有薄膜トランジスタと共有キャパシタンスの製造が必要となり、生産コストが増加された。
【０００７】
したがって、従来技術の課題を解決するために、液晶表示パネル及び装置を提供する必要がある。
【発明の概要】
【発明が解決しようとする課題】
【０００８】
本発明は、液晶表示パネル及び装置を提出することを目的とし、従来の表示パネルが両面表示される場合に、表示効果の良くないという技術的課題を解決し、さらに画素ユニットの分割不均一による色ずれの発生、及び画素ユニット開口率の低下の技術的課題を解決する。
【課題を解決するための手段】
【０００９】
上述した技術的課題を解決するために、本発明は液晶表示パネルを提供し、前記液晶パネルは、データ線と、走査線と、前記データ線と前記走査線とにより限定される複数の画素ユニットとを含み、各前記画素ユニットは、第１サブ画素と第２サブ画素とを含み、前記第１サブ画素は、第１画素電極とを有する第１アレイ基板と、液晶層と、前記第１アレイ基板に対向して配置され、且つ第１公共電極を有する第１カラーフィルム基板と、を含む。前記第２サブ画素は、第２画素電極を有する第２アレイ基板と、液晶層と、前記第２アレイ基板に対向して配置され、且つ第２公共電極を有する第２カラーフィルム基板とを含み、前記第１サブ画素は複数の表示ドメインを含み、前記第１サブ画素の表示ドメインが前記第１公共電極に対して画像化処理して形成され、前記第２サブ画素は複数の表示ドメインを含み、前記第２サブ画素の表示ドメインが前記第２画素電極に対して画像化処理して形成される。
【００１０】
本発明に係る液晶表示パネルにおいて、前記第１サブ画素の前記第１アレイ基板上における投影面積は前記第２サブ画素の前記第２アレイ基板上における投影面積と同じである。
【００１１】
本発明に係る液晶表示パネルにおいて、前記画素ユニットに薄膜トランジスタが設置され、前記薄膜トランジスタの制御端が前記走査線に接続され、前記薄膜トランジスタの入力端が前記データ線に接続され、前記薄膜トランジスタの出力端が前記第１サブ画素と前記第２サブ画素とに接続される。
【００１２】
本発明に係る液晶表示パネルにおいて、前記第１サブ画素の表示ドメインの個数は前記第２サブ画素の表示ドメインの個数と同じである。
【００１３】
本発明に係る液晶表示パネルにおいて、前記第１公共電極は第１水平主体部と、第１垂直主体部と、第１分岐部とを含み、前記第１水平主体部と前記第１垂直主体部とが垂直に交われ、前記第１分岐部は前記第１水平主体部と前記第１垂直主体部とから外へ延伸し、且つ前記第１水平主体部と前記第１垂直主体部とにより限定される公共電極区域内に位置される。
【００１４】
前記第２画素電極は第２水平主体部と、第２垂直主体部と、第２分岐部とを含み、前記第２水平主体部と前記第２垂直主体部とが垂直に交われ、前記第２分岐部は前記第２水平主体部と前記第２垂直主体部とから外へ延伸し、且つ前記第２水平主体部と前記第２垂直主体部とが限定する画素電極区域内に位置される。
【００１５】
更に、本発明は液晶表示パネルを提供し、前記液晶表示パネルは、データ線と、走査線と、前記データ線と前記走査線とにより限定される複数の画素ユニットとを含む。各前記画素ユニットは第１サブ画素と第２サブ画素とを含み、前記第１サブ画素は、第１画素電極を有する第１アレイ基板と、液晶層と、前記第１アレイ基板に対向して配置され、且つ第１公共電極を有する第１カラーフィルム基板とを含み、前記第２サブ画素は、第２画素電極を有する第２アレイ基板と、液晶層と、前記第２アレイ基板に対向して配置され、且つ第２公共電極を有する第２カラーフィルム基板とを含み、前記第１サブ画素は複数の表示ドメインを含み、前記第１サブ画素の表示ドメインは、前記第１画素電極に対して画像化処理して形成され、前記第２サブ画素は複数の表示ドメインを含み、前記第２サブ画素の表示ドメインは、前記第２公共電極に対して画像化処理して形成される。
【００１６】
本発明に係る液晶表示パネルにおいて、前記第１サブ画素の前記第１アレイ基板上における投影面積は前記第２サブ画素の前記第２アレイ基板上における投影面積と同じである。
【００１７】
本発明に係る液晶表示パネルにおいて、前記画素ユニットに薄膜トランジスタが設置され、前記薄膜トランジスタの制御端が前記走査線に接続され、前記薄膜トランジスタの入力端が前記データ線に接続され、前記薄膜トランジスタの出力端が前記第１サブ画素と前記第２サブ画素とに接続される。
【００１８】
本発明に係る液晶表示パネルにおいて、前記第１サブ画素の表示ドメインの個数は前記第２サブ画素の表示ドメインの個数と同じである。
【００１９】
本発明に係る液晶表示パネルにおいて、前記第２公共電極は、第３水平主体部と、第３垂直主体部と、第３分岐部とを含み、前記第３水平主体部と前記第３垂直主体部とが垂直に交われ、前記第３分岐部は前記第３水平主体部と前記第３垂直主体部とから外へ延伸し、且つ前記第３水平主体部と前記第３垂直主体部とにより限定される公共電極区域内に位置される。
【００２０】
前記第１画素電極は、第４水平主体部と、第４垂直主体部と、第４分岐部とを含み、前記第４水平主体部と前記第４垂直主体部とが垂直に交われ、前記第４分岐部は前記第４水平主体部と前記第４垂直主体部とから外へ延伸し、且つ前記第４水平主体部と前記第４垂直主体部とにより限定される画素電極区域内に位置される。
【００２１】
本発明は、液晶表示装置を更に提供し、前記液晶装置は、バックライトモジュールと液晶表示パネルとを含み、前記液晶表示パネルは、データ線と、走査線と、前記データ線と前記走査線とが限定する複数の画素ユニットとを含み、各前記画素ユニットは第１サブ画素と第２サブ画素とを含む。前記第１サブ画素は、第１画素電極を有する第１アレイ基板と、液晶層と、前記第１アレイ基板に対向して配置され、且つ第１公共電極を有する第１カラーフィルム基板とを含み、前記第２サブ画素は、第２画素電極を有する第２アレイ基板と、液晶層と、前記第２アレイ基板に対向して配置され、且つ第２公共電極を有する第２カラーフィルム基板とを含み、前記第１サブ画素は複数の表示ドメインを含み、前記第１サブ画素の表示ドメインは、前記第１公共電極に対して画像化処理して形成され、前記第２サブ画素は複数の表示ドメインを含み、前記第２サブ画素の表示ドメインは、前記第２画素電極に対して画像化処理して形成される。
【００２２】
本発明に係る液晶表示装置において、前記第１サブ画素の前記第１アレイ基板上における投影面積は、前記第２サブ画素の前記第２アレイ基板上における投影面積と同じである。
【００２３】
本発明に係る液晶表示装置において、前記画素ユニットに薄膜トランジスタが設置され、前記薄膜トランジスタの制御端が前記走査線に接続され、前記薄膜トランジスタの入力端が前記データ線に接続され、前記薄膜トランジスタの出力端が前記第１サブ画素と前記第２サブ画素とに接続される。
【００２４】
本発明に係る液晶表示装置において、前記第１サブ画素の表示ドメインの個数は前記第２サブ画素の表示ドメインの個数と同じである。
【００２５】
本発明に係る液晶表示装置において、前記第１公共電極は、第１水平主体部と、第１垂直主体部と、第１分岐部とを含み、前記第１水平主体部と前記第１垂直主体部とが垂直に交われ、前記第１分岐部は前記第１水平主体部と前記第１垂直主体部とから外へ延伸し、且つ前記第１水平主体部と前記第１垂直主体部とにより限定される公共電極区域内に位置される。
【００２６】
前記第２画素電極は、第２水平主体部と、第２垂直主体部と、第２分岐部とを含み、前記第２水平主体部と前記第２垂直主体部とが垂直に交われ、前記第２分岐部は前記第２水平主体部と前記第２垂直主体部とから外へ延伸し、且つ前記第２水平主体部と前記第２垂直主体部とにより限定される画素電極区域内に位置される。
【発明の効果】
【００２７】
本発明に係る液晶表示パネル及び装置は、同時に２つの電極に対して画像化処理して複数の表示ドメインを形成することで、両面表示の場合に、表示の効果が良くない技術的課題を解決でき、さらに画素ユニットを等しい大きさの２つのサブ画素に分割することで、サブ画素の非対称による色ずれの問題を解決でき、また画素ユニットの開口率を増大でき、生産コストを削減できる。
【図面の簡単な説明】
【００２８】
【図１】図1は従来技術の液晶表示パネルにおけるアレイ基板の構造を示す図である。
【図２】図2は従来技術の液晶表示パネルにおけるカラーフィルム基板の構造を示す図である。
【図３】図3は従来技術の液晶表示パネルの断面図である。
【図４】図4は本発明の液晶表示パネルにおけるアレイ基板の構造を示す図である。
【図５】図5は本発明の液晶表示パネルにおけるカラーフィルム基板の構造を示す図である。
【図６】図6は本発明の液晶表示パネルの断面図である。
【発明を実施するための形態】
【００２９】
以下各実施例に関する説明は、図面を参照しながら、本発明が特定な実施例で実施することを例として説明する。本発明に用いられる方向の用語、例えば「上」、「下」、「前」、「後」、「左」、「右」、「内側」、「外側」、「側面」等は、図面を参照して方向を説明するのにすぎない。したがって、用いられる方向の用語は、本発明を説明又は理解するためのであり、本発明を限定するためのものではない。図面において、構造的に類似するユニットは同じ符号で表される
【００３０】
（図４を参照）図4は本発明の液晶表示パネルにおけるアレイ基板の構造を示す図である。
【００３１】
図6に示すように、本発明に係る液晶表示パネルは、アレイ基板10と、カラーフィルム基板20と、液晶層30と、画素電極31と、公共電極32とを含み、前記液晶層30が前記アレイ基板10と前記カラーフィルム基板20との間に位置さら、前記アレイ基板10は第１アレイ基板と第２アレイ基板とを含み、前記カラーフィルム基板20は第１カラーフィルム基板と第２カラーフィルム基板とを含む。
【００３２】
図4に示すように、前記液晶表示パネルは、データ線12と、走査線11と、データ線12と走査線11とにより限定される複数の画素ユニットとを含む。各前記画素ユニットは第１サブ画素と第２サブ画素とを含み、前記第１サブ画素は、第１アレイ基板と、液晶層と、第１カラーフィルム基板とを含む。前記第１アレイ基板は第１画素電極と、前記前記第１アレイ基板に対向して配置され、且つ第１公共電極を有する第１カラーフィルム基板とを含む。
【００３３】
前記第２サブ画素は、第２アレイ基板と、液晶層と、第２カラーフィルム基板とを含み、前記第２アレイ基板は第２画素電極と、前記第２アレイ基板に対向して配置され、且つ第２公共電極を有する前記第２カラーフィルム基板とを含む。
【００３４】
前記第１画素電極は図4の301に示され、前記第２画素電極は図4の302に示され、前記第１公共電極は図5の401に示され、前記第２公共電極は図5の402に示され、前記画素電極31は前記第１画素電極301と前記第２画素電極302とを含み、前記公共電極32は前記第１公共電極401と前記第２公共電極402とを含む。
【００３５】
前記第１サブ画素は複数の表示ドメインを含み、前記第１サブ画素の表示ドメインは、前記第１公共電極401に対して画像化処理して形成される。
【００３６】
前記第２サブ画素は複数の表示ドメインを含み、前記第２サブ画素の表示ドメインは、前記第２画素電極302に対して画像化処理して形成される。
【００３７】
以上のことにより、前記第１サブ画素の表示ドメインは、前記第１公共電極で形成され、前記第２サブ画素の表示ドメインは、前記第２画素電極で形成され、アレイ基板側或いはカラーフィルム基板側のいずれの１つからの光出力は、視野角の大きさが同じであり、視野角には影響を与えず、両面表示場合でのより良い表示の効果を実現できる。
【００３８】
好ましくは、前記第１サブ画素が前記第１アレイ基板での投影面積は、前記第２サブ画素の前記第２アレイ基板での投影面積と同じである。即ち、画素ユニットごとが２つ面積の等しいサブ画素に分割され、画素ユニットの分割不均一による色ずれの問題を避けることができる。
【００３９】
図4に示すように、好ましくは、前記画素ユニットに薄膜トランジスタが設置され、前記薄膜トランジスタの制御端が前記走査線11に接続され、前記薄膜トランジスタの入力端が前記データ線12に接続され、前記薄膜トランジスタの出力端が前記第１サブ画素と前記第２サブ画素とに接続される。アレイ基板10側には、前記第１画素電極301と前記第２画素電極302とが分離せず、１つの薄膜トランジスタで２個サブ画素を駆動させることができ、これにより、一つの電荷共有薄膜トランジスタと共有キャパシタンスを節約することができ、開口率を増大させることができる。
【００４０】
好ましくは、前記第１サブ画素の表示ドメインの個数は、前記第２サブ画素の表示ドメインの個数と同じである（例えば、第１サブ画素では4個表示ドメインがあり、第２サブ画素では4個表示ドメインがある）、表示画面がより均一になり、表示の効果が更に向上できる。
【００４１】
好ましくは、図5に示すように、前記第１公共電極401は第１水平主体部41と、第１垂直主体部42と、第１分岐部43（複数の第１分岐部がある）とを含み、前記第１水平主体部41と前記第１垂直主体部42とが垂直に交われ、前記第１分岐部43は前記第１水平主体部41と前記第１垂直主体部42とから外へ延伸し、且つ前記第１水平主体部41と前記第１垂直主体部42とにより限定される公共電極の区域内に位置される。
【００４２】
図4を示すように、前記第２画素電極302は、第２水平主体部51と、第２垂直主体部52と、第２分岐部53（複数の第２分岐部がある）とを含み、前記第２水平主体部51と前記第２垂直主体部52とが垂直に交われ、前記第２分岐部53は前記第２水平主体部51と前記第２垂直主体部52とから外へ延伸し、且つ前記第２水平主体部51と前記第２垂直主体部52とにより限定される画素電極区域内に位置される。前記第１公共電極401と前記第２画素電極302とが上述の構造を有することによって、他の構造より均一の電場を得やすく、表示の効果が更に向上できる。
【００４３】
本発明は液晶表示パネルを更に提供し、前述の液晶表示パネルとの相違点とは、前記第１サブ画素は複数の表示ドメインを含み、前記第１サブ画素の表示ドメインは前記第１画素電極301に対して画像化処理して形成され、前記第２サブ画素は複数の表示ドメインを含み、前記第２サブ画素の表示ドメインは前記第２公共電極402に対して画像化処理して形成される。
【００４４】
前記第２公共電極402は第３水平主体部と、第３垂直主体部と、第３分岐部（複数の第３分岐部がある）とを含み、前記第３水平主体部と前記第３垂直主体部とが垂直に交われ、前記第３分岐部は前記第３水平主体部と前記第３垂直主体部とから外へ延伸し、且つ前記第３水平主体部と前記第３垂直主体部とにより限定される公共電極区域内（図に示せず）に位置される。 
【００４５】
前記第１画素電極301は第４水平主体部と、第４垂直主体部と、第４分岐部（複数の第４分岐部がある）とを含み、前記第４水平主体部と前記第４垂直主体部とが垂直に交われ、前記第４分岐部は前記第４水平主体部と前記第４垂直主体部とから外へ延伸し、且つ前記第４水平主体部と前記第４垂直主体部とにより限定される画素電極区域内（図に示せず）に位置される。
【００４６】
本発明は、１つのサブ画素の画素電極及び他のサブ画素の公共電極に対し画像化処理を行って表示ドメインを形成することで、両面表示の場合に、視野角を同一にさせることのよって、従来の技術における２つのサブ画素の画素電極を画像化処理して表示ドメインを形成して生じる視野角が同一でない問題を避けることができ、表示の効果が向上できる。さらに、画素ユニットを等しい面積に分割させて得るサブ画素によって、大きい視野の角色ずれ問題も解決でき、また、１つの薄膜トランジスタで２つのサブ画素を駆動させることで、従来の技術における電荷共有薄膜トランジスタ及び共有キャパシタンスが節約でき、画素ユニットの開口率を増大させることができる。
【００４７】
さらに、本発明は液晶表示装置を提供し、前記液晶表示装置はバックライトモジュールと、上述の何れの液晶表示パネルとを含む。
【００４８】
以上のように、液晶表示パネルについて詳細に説明し、ここでは述べない。
【００４９】
本発明に係る液晶表示パネル及び装置は、同時に２つ基板の電極を画像化処理して表示ドメインを形成することで、従来の表示パネルが両面表示する際に、表示の効果が良くないという技術的課題を解決できる。
【００５０】
上述したとおり、本発明は上述した好ましい実施形態で示されているが、上述の実施形態は本発明を限定するものではない。なお、当業者は、本発明の趣旨及び範囲から逸脱することなく、実施形態の変更、追加、改良などを適宜行うことができる。本発明の範囲は、特許請求の範囲の記載に基づいて解釈されるべきであり、さらにその均等物を含むものと理解されるべきである。
【図１】
0006539741.tif 000002
【図２】
0006539741.tif 000003
【図３】
0006539741.tif 000004
【図４】
0006539741.tif 000005
【図５】
0006539741.tif 000006
【図６】
0006539741.tif 000007